(57)【特許請求の範囲】
【請求項１】
基地局は情報サービス提供元から取得した複数のコンテンツを所定の時間間隔で送信される放送用物理チャネルに設定し移動機へ送信し、
移動機は前記放送用物理チャネルを受信するタイミングを設定し、
待ち受け時に前記設定されたタイミングにより放送用物理チャネルを受信し、
受信した前記コンテンツを待ち受け時の表示画面に表示することを特徴とするデジタル無線電話による情報放送方法。
【請求項２】
請求項１記載のデジタル無線電話による情報放送方法であって、
基地局は前記複数のコンテンツに関する情報を放送用物理チャネルに設定し移動機へ送信し、
移動機は全ての放送用物理チャネルを受信して前記複数のコンテンツに関する情報を取得しメニュー画面に表示することを特徴とするデジタル無線電話による情報放送方法。
【請求項３】
請求項２記載のデジタル無線電話による情報放送方法であって、
移動機は前記複数のコンテンツから利用者が指定した特定のコンテンツが設定されている放送用物理チャネルを受信するタイミングを設定し、
待ち受け時に前記設定された特定のコンテンツの受信タイミングにより放送用物理チャネルを受信し、
受信した前記特定のコンテンツを待ち受け時の表示画面に表示することを特徴とするデジタル無線電話による情報放送方法。
【請求項４】
請求項２または請求項３記載のデジタル無線電話による情報放送方法であって、
前記複数のコンテンツに関する情報の取得は移動機が基地局のゾーンを移動した時あるいは移動機の利用者が指示した時に実行することを特徴とするデジタル無線電話による情報放送方法。
【請求項５】
請求項３記載のデジタル無線電話による情報放送方法であって、
前記コンテンツを所定の時間間隔で切り替えて表示することを特徴とするデジタル無線電話による情報放送方法。
【請求項６】
請求項１ないし請求項５記載のデジタル無線電話による情報放送方法であって、
基地局はコンテンツのデータにエラー検出データを付加して複数回移動機へ送信し、
移動機は正しく受信されたコンテンツのデータを用いて表示を行うことを特徴とするデジタル無線電話による情報放送方法。
【請求項７】
請求項１ないし請求項６記載のデジタル無線電話による情報放送方法であって、
基地局はコンテンツを複数の放送用物理チャネルに分割して移動機へ送信し、
移動機は受信した複数の放送用物理チャネルのデータからコンテンツのデータを復元して表示することを特徴とするデジタル無線電話による情報放送方法。
【請求項８】
請求項１記載のデジタル無線電話による情報放送方法であって、
基地局は緊急情報を特定の放送制御物理チャネル（ＢＰＣＨ）に設定すると共に一斉呼出チャネル（ＰＣＨ）に報知チャネル（ＢＣＣＨ）の受信区間を変更する情報を設定して移動機へ送信し、
移動機は一斉呼出チャネル（ＰＣＨ）に設定された報知チャネル（ＢＣＣＨ）の受信区間を変更する指示に従って前記特定の放送制御物理チャネル（ＢＰＣＨ）を受信して待ち受け時の表示画面に表示することを特徴とするデジタル無線電話による情報放送方法。
【発明の詳細な説明】
【技術分野】
【０００１】
本発明は、ネットワーク側から多数チャネルからなる放送型の文字情報を提供し、移動機側においてその文字情報を選択的に受信して表示させることができるデジタル無線電話による文字情報放送方法及びその放送システムに関するものである。
【背景技術】
【０００２】
従来、デジタル無線電話システムにおいて、移動機からのユーザ要求等に基づいて広い範囲の情報サービスプロバイダに簡単にアクセスでき、必要な情報サービスを対話的に受けることができるデジタル無線電話による情報提供サービスシステムが実現されている。また、移動機からインターネット上のウェブサーバのホームページ等のファイルを取得して移動機の表示部で表示させる、いわゆるインターネットブラウジングを行うサービスも実現されている。
【発明の開示】
【発明が解決しようとする課題】
【０００３】
しかしながら、従来の情報提供サービスシステムあるいはメッセージ通信方法及び通信システムは、ショートメッセージサービス等によりユーザ毎に個別に情報提供されるものであり、例えば、これを利用してネットワーク側から全加入者に対して同時に情報提供することは困難である。提供されるべき情報には、例えば、天気予報、ニュース速報、スポーツフラッシュ等のような汎用性の高い情報は、全加入者に対して選択的に提供できることが好ましく、また地震情報や交通情報等のような緊急情報は、早急に提供する必要があり、さらには地域性を考慮した情報提供が望まれる。一方、従来の無線呼出（ポケットベル）システムにおいては、ネットワーク側から同報により一定の情報提供することができるが、受信機において自己の待受けるべきフレームのいずれか１つのグループを常に受信しなければならず、これを双方向通信が可能なデジタル無線電話システムにおいて実現しようとしたときには、常に受信することによる電池寿命が短くなる等の問題点を解決しなければならず、また緊急情報を早急に提供することには適していない。
【０００４】
本発明は上記事情に鑑みなされたもので、異なる多数の文字情報を地域毎の全加入者に対し同時に選択的に提供することができ、かつ緊急情報では早急に提供できるデジタル無線電話による文字情報放送方法及びその放送システムを提供することを目的とする。
【課題を解決するための手段】
【０００５】
上記目的を達成するために、本発明のデジタル無線電話による文字情報放送方法は、情報サービス提供元から複数のコンテンツを取得し、該複数のコンテンツをオンエア期間が来たときにそれぞれ１放送チャネルを含むメッセージダウンロードを処理するセル放送マップ用パケットに変換し、それぞれのセル放送マップ用パケットを対応する交換機へダウンロードし、該交換機は受信した前記セル放送マップ用パケットを専用に設けた放送用物理チャネルの１スーパーフレーム毎にそれぞれ設定し指定された放送エリアの基地局を介して移動機へ送信し、該移動機は受信したチャネルのコンテンツを表示部で表示することを特徴とするものである。交換機から基地局を介して送信されてくる放送用物理チャネルをその放送エリアの移動機で受信し、表示部に表示させることで、異なる多数の文字情報を地域毎の全加入者に対し同時に選択的に提供することができる。
【０００６】
前記放送用物理チャネルは、共通制御チャネルに隣接するタイムスロットに設定されることが、移動機において間欠受信時間を長くするだけで周波数切換えを不要にできる点で好ましい。
【０００７】
前記放送用物理チャネルの論理チャネルは、放送用の文字情報コンテンツを含む放送情報チャネルと、この放送情報チャネルの構成情報を含む放送サービス制御チャネルとを有し、前記放送サービス制御チャネルは１スーパーフレームの先頭に配置され、前記放送情報チャネルは前記１スーパーフレーム中の放送サービス制御チャネルに続く複数のスロットに繰り返し設定されることが、１スーパーフレームに１放送チャネルを構成し、かつ放送情報チャネルを繰り返すことで誤り訂正により情報の信頼性を向上させることができる点で好ましい。
【０００８】
多数の前記スーパーフレームからなる放送用ハイパーフレームを構成し、各スーパーフレームにそれぞれ異なる放送チャネルを配置し、その放送チャネル中に緊急情報を含む放送チャネルは、前記放送用ハイパーフレームに繰り返し配置されることが、緊急情報を早急に提供できる点で好ましい。
【０００９】
前記共通制御チャネルの報知チャネルの事業者固有定義領域には、前記放送用物理チャネルを受信するための情報が設定されていることが、移動機が待ち受け中に緊急情報があったときに、放送チャネルを受信させて早急に緊急情報を提供できる点で好ましい。
【００１０】
前記放送用物理チャネルを受信するための情報は、緊急情報の有無を識別する情報であることが、緊急情報の有無を知らせることができる点で好ましい。
【００１１】
また、上記目的を達成するために、本発明のデジタル無線電話による文字情報放送システムは、情報サービス提供元から放送エリアが指定された複数のコンテンツを取得し、該複数のコンテンツをオンエア期間が来たときにそれぞれ１放送チャネルを含むメッセージダウンロードを処理するセル放送マップ用パケットに変換し、それぞれのセル放送マップ用パケットをダウンロードする放送センターと、前記放送センターからダウンロードされた前記セル放送マップ用パケットを受信して、専用に設けた放送用物理チャネルの１スーパーフレーム毎にそれぞれ設定し、指定された放送エリアの基地局へ送信する交換機と、前記交換機から基地局を介して送信された放送用物理チャネルを受信し、そこに含まれるコンテンツを表示部で表示する移動機とを備えたものである。交換機から基地局を介して送信されてくる放送用物理チャネルをその放送エリアの移動機で受信し、表示部に表示させることで、異なる多数の文字情報を地域毎の全加入者に対し同時に選択的に提供することができる。
【００１２】
前記情報サービス提供元から提供されるコンテンツには、情報サービス提供元の識別番号、放送エリアを指定するセルエリアグループ名、メッセージ本体、オンエア期間を含むことが、情報サービス提供元、放送エリア、放送期間を特定して放送サービスのコンテンツを取得できる点で好ましい。
【００１３】
前記放送センターは、特定された情報サービス提供元の識別番号、セルエリアグループ名、オンエア期間を格納したＩＰ／ＳＰプロファイルデータベースと、取得したコンテンツを前記ＩＰ／ＳＰプロファイルデータベースとの突合わせで権限チェックを行い、コンテンツの項目の整合性のチェックを行い、その結果を保持するための処理を行うコンテンツフィルタ部と、このコンテンツフィルタ部で処理されたコンテンツを格納するコンテンツデータベースとを有することが、不正なコンテンツをダウンロードしないために好ましい。
【００１４】
前記コンテンツデータベースに格納されたオンエア期間が経過したコンテンツを、１放送チャネルに関する情報を含み、ダウンロード処理するプロトコルとして定義されるセル放送マップ用パケットに変換するＣＢＭＡＰ変換部を有することが、コンテンツをダウンロード処理に適したパケットにして変換できる点で好ましい。
【００１５】
前記移動機は、前記交換機から基地局を介して１スーパーフレーム中に繰り返し送信されてきた１放送チャネルに相当する放送情報チャネルを受信し、エラーが発生したフレームを破棄し、正常に受信したフレームのみを組立処理するフレーム組立部を有することが、コンテンツの信頼性を向上できる点で好ましい。
【００１６】
前記移動機は、一斉報知チャネルを受信する待受け時にその報知チャネル区間長が変更されているとき、報知チャネルを受信しその事業者固有定義領域に緊急情報があることを確認して放送用物理チャネルの受信を開始することが、緊急情報を早急に受信させることができる点で好ましい。
【００１７】
前記移動機は、放送用物理チャネルを構成する放送サービス制御チャネルを受信しその連結情報に基づいて複数の放送チャネルを連結して１放送チャネルにする処理を行う連結処理部を有することが、多数の情報を含む放送チャネルに提供できる点で好ましい。
【００１８】
前記移動機は、ユーザが受信操作をした時、設定した日時、あるいは予め受信しているコンテンツに含まれる更新日時のいずれかにより更新のための放送チャネルの受信を開始する処理を行う更新処理部を有することが、コンテンツの更新を円滑に行うことができる点で好ましい。
【発明を実施するための最良の形態】
【００１９】
以下、本発明を図示の一実施形態により具体的に説明する。図１〜図３は本発明実施形態のデジタル無線電話による文字情報放送方法及びそのシステムを説明する図であり、図１は放送センターの構成を説明するブロック図、図２はネットワークの全体構成を説明する図、図３は移動機の構成を説明するブロック図である。
これらの図において、本実施形態のデジタル無線電話による文字情報放送システム１０は、移動機（ＭＳ：Mobile Station）１１と、基地局（ＢＳ：BaseStation ）１２と、交換機（ＭＳＣ：Mobile Switching Center ）１３と、放送センター（ＣＢＣ：Cell Broadcasting Center）２０と、情報提供者／サービス提供者（ＩＰ／ＳＰ：Information Provider/ Service Provider）１４とから構成され、放送センター（ＣＢＣ）２０が、情報サービスの提供元である情報提供者／サービス提供者（ＩＰ／ＳＰ）１４から取得した複数のコンテンツをそれぞれ後に説明するセル放送用（ＣＢＭＡＰ：Cell Broadcasting ＭＡＰ）パケットに変換してから交換機（ＭＳＣ）１３へダウンロードし、交換機（ＭＳＣ）１３がそのセル放送用パケットを後に詳細に説明する専用の放送用物理チャネルに設定し、所定の放送エリアの基地局（ＢＳ）１２を介して移動機（ＭＳ）１１へ送信し、移動機（ＭＳ）１１は受信したコンテンツを表示部に表示させるものである。
【００２０】
放送センター（ＣＢＣ）２０の主要な機能は、情報サービスの提供元である情報提供者／サービス提供者（ＩＰ／ＳＰ）１４あるいは内部に設けられたローカルＩＰ／ＳＰ１５からのコンテンツの取得とそのチェック、コンテンツの放送計画、コンテンツの編集と交換機（ＭＳＣ）１３へのダウンロード等であり、図１に示すように、受信部２１と、コンテンツフィルタ部２２と、ＩＰ／ＳＰプロファイルデータベース２３と、受信制御部２４と、コンテンツデータベース２５と、スケジュール部２６と、送信制御部２７と、セル放送用マップ（ＣＢＭＡＰ：Cell Broadcasting ＭＡＰ）変換部２８と、セル情報データベース２９と、送信部３０等とから構成される。
【００２１】
受信部２１は、放送センター２０から離れた場所にあるＩＰ／ＳＰ１４あるいは放送センター２０の内部に設けられたローカルＩＰ／ＳＰ１５と広域通信網（ＷＡＮ）、ローカルエリアネットワーク（ＬＡＮ）、インターネット等で接続されたＦＴＰ（ファイル転送プロトコル）サーバあるいはウェブサーバの機能を有するインターフェースであり、情報伝送には、ＦＴＰまたはハイパーテキストトランスファプロトコル（ＨＴＴＰ）が使用される。この受信部２１は、ＦＴＰまたはＨＴＴＰのＰＵＴによるＩＰ／ＳＰからのコンテンツの送信、放送センター２０発行のＦＴＰのＧＥＴによるＩＰ／ＳＰからのコンテンツの受信、及びコンテンツ配信確認を行う。
【００２２】
ＩＰ／ＳＰプロファイルデータベース２３は、特定されているＩＰ／ＳＰの識別番号や放送エリアを示す文字列からなるセルエリアグループ名、オンエア許可期間等を格納したデータベースである。コンテンツフィルタ部２２は、受信部２１で取得したコンテンツの権限をチェックするためＩＰ／ＳＰプロファイルデータベース２３との突合わせチェックを行い、そのコンテンツの項目についても整合性のチェックを行い不正データのダウンロードを避け、その結果であるステータスを保持する部分である。受信制御部２４は、コンテンツフィルタ部２２でチェックされたコンテンツを基にしてコンテンツデータベース２５を作成し登録する部分である。
【００２３】
スケジュール部２４は、コンテンツデータベース２５に登録されているコンテンツのオンエア期間が来るまでタイマ監視を行い、オンエア期間になったコンテンツに関して、その旨をダウンロードを実施する後のプロセスに通達を行う部分である。また、スケジュール部２４は、オンエア期間が経過したコンテンツに対してコンテンツデータベース２５から削除させる。ただし、この削除等の履歴は、確認できるように残される。送信制御部２７は、スケジュール部２４から通達されたオンエア期間が経過したコンテンツをコンテンツデータベース２５から受信し、ＣＢＭＡＰ変換部２８へ送信する部分である。
【００２４】
セル情報データベース２９は、セルエリアグループ名に対応させて、セル番号やローカルエリア番号等のエリアコードを格納したデータベースである。ＣＢＭＡＰ変換部２８は、送信制御部２７を経由してコンテンツデータベース２５から送信されてきたオンエア期間が経過したコンテンツを、ダウンロードを処理するプロトコルとして定義されるセル放送用マップ（ＣＢＭＡＰ）のパケットに変換する部分であり、このＣＢＭＡＰパケットには、１放送チャネルに関する情報を含む。ＣＢＭＡＰパケットの構成等に関しては後に説明する。送信部３０は、ＣＢＭＡＰ変換部２０で編成されたＣＢＭＡＰパケットを交換機１３へ送信し、交換機１３から確認を受信する部分であり、交換機１３とはＴＣＰ／ＩＰインターフェースによって接続されたＬＡＮ等で構成されている。
【００２５】
移動機（ＭＳ）１１は、通常の音声通話が可能な機能を備えるとともに、本発明の文字情報等のメッセージを送受信できる機能を備えており、アンテナ３１、無線部３２、音声変換回路３３、スピーカ３４、マイク３５、メッセージ通信部３６、時計部３７、フレーム組立部３８、放送メッセージメモリ３９、更新処理部４０、連結処理部４１、メッセージ管理部４２、表示制御部４３、表示部４４、キー入力部４５、ＲＯＭ４６、ＲＡＭ４７、制御部４８等を備えている。
【００２６】
無線部３２は、音声変換回路３３またはメッセージ通信部３６から入力される送信データを基地局１２に無線送信するために所定の無線周波数の送信信号に周波数変換してアンテナ３１から送信したり、アンテナ３１により基地局１２から受信した受信信号を周波数変換して、メッセージ通信部３６あるいは音声変換回路３３に出力する。音声変換回路３３は、図示しない音声変換のためのコーディック部及び時分割接続処理部等を備え、受信した音声信号をスピーカ３４に出力したり、マイク３５から入力した音声を送信信号として無線部３２に出力する。
【００２７】
メッセージ通信部３６は、送信メッセージを送信信号に編成して無線部３２に出力し、またメッセージを受信して他の部分へ出力するための処理を行う部分である。時計部３７は、正確な日時を計数し更新処理等のための時刻情報を生成する部分である。フレーム組立部３８は、後にその動作を詳細に説明するように正常に受信したコンテンツのフレームのみを組み立て、エラーが発生したフレームを破棄する部分である。放送メッセージメモリ３９は、受信したコンテンツをカテゴリ毎に分類して記録する部分である。更新処理部４０は、ユーザが設定した日時や手動操作により、あるいはコンテンツに含まれる更新日時により自動的にコンテンツの更新処理を行う部分である。連結処理部４１は、連結情報があった場合に、放送チャネルを連結する処理を行う部分である。メッセージ管理部４２は後に詳細に説明するように受信したメッセージの管理を行う部分である。表示制御部４３は、放送メッセージメモリ３９に記録されているコンテンツを読み出し表示のための処理を行う部分である。表示部４３は、液晶表示装置等により構成されており、受信したコンテンツを表示する部分である。キー入力部４５は、各種操作のためのキー、文字や英数字を入力するためのキー等を備える部分である。ＲＯＭ４６は、メッセージデータ送信処理プログラム等を格納するメモリ、ＲＡＭ４７は、通信制御中等のワークメモリである。制御部４８は、上記の各部を制御する部分である。
【００２８】
図４〜図８は本発明実施形態の放送型の文字情報提供を実現するためのチャネルを説明する図であり、図４はフルレート構成の専用物理チャネルとその受信タイミングを説明する図、図５はハーフレート構成の専用物理チャネルとその受信タイミングを説明する図、図６はフルレートのスーパーフレーム構成を説明する図、図７はハーフレートのスーパーフレーム構成を説明する図、図８は全放送チャネルのＣＢＳハイパーフレーム構成を説明する図である。
【００２９】
まず、本発明においてはセル放送サービス専用の物理チャネルとして、社団法人電波産業界のデジタル方式自動車電話システムの標準規格であるＲＣＲ−２７ＳＴＤの制御用物理チャネル構造に準拠して放送制御物理チャネル（ＢＰＣＨ：Broadcasting Physical CHannel ）が設けられる。このＢＰＣＨは、従来のとまり木チャネル（共通制御チャネル）の隣接タイムスロットが使用される。このような共通制御チャネルの隣接タイムスロットを使用することで、移動機１１において間欠受信時間を長くするだけで周波数切換えを不要にすることができる。
【００３０】
ＢＰＣＨは、フルレート構成とハーフレート構成の両方に対応している。フルレート構成の場合には、図４に示すように、ＢＰＣＨは６スロットから構成される１フレーム中の第１スロット（ＴＳ１）と第４スロット（ＴＳ４）に配置され、移動機１１はこのＢＰＣＨのスロットの配置されたタイミングで間欠受信を行うとともに、待ち受け時に一斉呼出チャネル（ＰＣＨ）のスロットを受信し、このスロットに続く時間でゾーン移行のための周辺ゾーンの受信レベル測定を行う。ハーフレート構成の場合には、図５に示すように、ＢＰＣＨは６スロットから構成される１フレーム中の第１スロット（ＴＳ１）に配置され、移動機１１はこのＢＰＣＨのスロットの配置されたタイミングで間欠受信を行うとともに、待ち受け時にＰＣＨのスロットを受信し、このスロットに続く時間でゾーン移行のための周辺ゾーンの測定を行う。
【００３１】
このＢＰＣＨの論理チャネルには、コンテンツの文字情報等を含む放送情報チャネル（ＢＩＣＨ：Broadcasting Information CHannel）と、この放送情報チャネル（ＢＩＣＨ）のチャネル構成情報等を含む放送サービス制御チャネル（ＢＳＣＣＨ：Broadcasting Service Control CHannel）とが定義される。１放送チャネルは、フルレート構成の場合には、図６に示すように、スーパーフレームの先頭２フレームにＢＳＣＣＨ、それに続く３２フレームに８フレーム構成からなるＢＩＣＨ、最終２フレームにダミースロットが配置される。ハーフレート構成の場合には、図７に示すように、スーパーフレームの先頭２フレームにＢＳＣＣＨ、それに続く１６フレームに８フレーム構成からなるＢＩＣＨが配置される。すなわち、ＢＩＣＨは、フルレート構成の場合には４回繰り返して再送され、ハーフレート構成の場合には２回繰り返して再送される。このＢＩＣＨの再送により、後に説明する移動機１１におけるフレーム組立３８で受信時の誤り訂正により信頼性を向上させている。そして、全放送チャネルは、例えば、第０〜第６３までの合計６４チャネルが、７０スーパーフレーム等で構成されるＣＢＳハイパーフレームに配置される。このＣＢＳハイパーフレームにおいて、緊急情報チャネルである第０及び第１チャネルは、例えば、均等の間隔で４回繰り返して配置されている。
【００３２】
図９及び図１０は本発明実施形態の報知チャネルの構成を説明する図であり、図９は情報要素を説明する図、図１０は拡張情報の放送チャネル指示要素を説明する図である。
【００３３】
これらの図に示すように、本発明では上記のＢＰＣＨを受信するために、ネットワーク側からエリア内の移動機１１に対して制御情報を報知する報知チャネル（ＢＣＣＨ）の事業者固有定義領域の拡張情報要素長と拡張情報に放送チャネル指示要素とその長さが設定される。すなわち、図９に示すように、ＢＣＣＨの情報要素、ネットワーク番号、規制情報、…、位置登録タイマに続く、拡張情報要素長に拡張情報の長さである１（オクテット）が設定され、図１０に示すように、拡張情報には放送チャネル指示要素として、例えば、１オクテット中の第５及び第４ビット（Ｉ１及びＩ２）にＢＰＣＨ識別ビット、第３ビット（Ｐ１）にＢＰＣＨがハーフレート構成かフルレート構成かを識別するビット、第２ビット（Ｐ２）に緊急情報が有るかを識別するビットが設定される。例えば、Ｉ１Ｉ２が００はＢＰＣＨなし、０１と１０は予備、１１はＢＰＣＨ有りで、Ｐ１が０はハーフレート、１はフルレート、Ｐ２が０は緊急情報なし、１は緊急情報有り等のように設定される。移動機１１は、緊急情報が１であった場合には直ちにＢＰＣＨの受信に入る。
【００３４】
図１１及び図１２は本発明実施形態のＢＳＣＣＨを説明する図であり、図１２はＢＳＣＣＨデータフォーマットを示す図、図１２はオンエア情報チャネル番号を示す図である。
【００３５】
スーパーフレームの先頭２フレームに配置されるＢＳＣＣＨは、最大３４オクテットからなり、図１１に示すように、レイヤ２ヘッダ、プラットフォーム番号、レイヤ３メッセージ種別、７オクテットから最終オクテットまでの長さ、受信スーパーフレームに含むＢＩＣＨの情報チャネル番号を示すチャネル情報、図１２に示すようにオンエア中の情報チャネル番号を識別するオンエア情報チャネル番号、放送されているチャネル構成の属するグループを示すセルグループ番号、予備、現在放送されているチャネルの有料・無料やアプリケーションレベルでの整合性をとるための料金情報／メッセージクラス、コンテンツ毎に付与される情報番号、放送チャネル毎の最終更新日時を示す更新情報、更新周期の指定を示す更新期間、情報更新のたびに１ずつインクリメントされる番号と連結チャネル構造を示す更新番号／連結情報、移動機１１で受信した情報の保存方法等を示す保存指示情報、新規受信時の移動機１１における表示パターンを示す表示指定情報、放送を受信する年齢層、男女別、職業等を示すターゲットフィルタ、ＢＩＣＨ内のコンテンツ種別を示すメッセージ種別、予備等の要素から構成されている。
【００３６】
図１３は本発明実施形態のＢＩＣＨを説明するデータフォーマットを示す図である。
【００３７】
同図において、ＢＳＣＣＨに続くフレームに配置されるＢＩＣＨは、最大１３６オクテットからなり、レイヤ２ヘッダ、プラットフォーム番号、レイヤ３メッセージタイプ、コンテンツの長さ、コンテンツ本体を示すコンテンツ等の要素から構成されている。
【００３８】
次に、放送センター（ＣＢＣ）２０から交換機（ＭＳＣ）１３へダウンロードされる上記のＣＢＭＡＰパケット及び交換機（ＭＳＣ）１３から放送センター（ＣＢＣ）２０へ返信される確認パッケージについて説明する。図１４はＣＢＭＡＰパケットの構成を説明する図、図１５はＣＢＭＡＰ確認パッケージを説明する図である。
【００３９】
ＣＢＭＡＰパケットは、上記の通り放送センター（ＣＢＣ）２０において、ＣＢＭＡＰ変換部２８がコンテンツデータベース２５に格納されたコンテンツを基にして１放送チャネル毎に編成するパケットであり、図１４に示すように、例えば、最大２６７オクテットからなり、ＴＣＰ／ＩＰ通信プロトコルの仕様を記述したＲＦＣ（Request for Comments）に準拠したＩＰヘッダ及びＴＣＰヘッダに続き、ＣＢＭＡＰヘッダ、ＣＢＭＡＰ ＢＳＣＣＨ、ＣＢＭＡＰＢＩＣＨから構成される。ＣＢＭＡＰヘッダは、コンテンツに含まれるセルエリアグループ名等の情報を基にして作成され、最大６７オクテットからなり、例えば、ＣＢＭＡＰヘッダ長、エリア種別、エリア識別番号、緊急識別番号等から構成される。ＣＢＭＡＰＢＳＣＣＨは、コンテンツに含まれるセルエリアグループ名、その他のダウンロード用コンテンツ情報等の情報を基にして作成され、例えば、ＢＳＣＣＨ長、更新情報、オンエア情報チャネル番号、セルグループ番号等から構成される。ＣＢＭＡＰＢＩＣＨは、コンテンツ本体を基にして作成され、最大１３１オクテットからなり、例えば、ＢＩＣＨ長、コンテンツ本体のメッセージ領域等から構成される。
【００４０】
ＣＢＭＡＰ確認パッケージは、ＣＢＭＡＰパケットをダウンロードしたとき交換機（ＭＳＣ）１３から放送センター（ＣＢＣ）２０へ返信されるパッケージであり、図１５に示すように、ＩＰヘッダ及びＴＣＰヘッダ、確認のＣＢＭＡＰＡＣＫ等から構成される。
【００４１】
次に、放送センター（ＣＢＣ）２０と交換機（ＭＳＣ）１３との間の送受信シーケンスについて説明する。図１６は通常の場合の送受信シーケンス、図１７は返信タイムアウトの場合のシーケンスである。
【００４２】
図１６に示すように、放送センター（ＣＢＣ）２０は、交換機（ＭＳＣ）１３へ１個目のＣＢＭＡＰパケットをダウンロードすると、交換機（ＭＳＣ）１３からの返信をタイマ監視しつつ待つ。交換機（ＭＳＣ）１３は、１個目のＣＢＭＡＰパケットを受ける処理を行い、次のパケットを受け取る準備ができた時点で放送センター（ＣＢＣ）２０に対してＣＢＭＡＰ確認パッケージを返信する。放送センター（ＣＢＣ）２０は、この確認パッケージを受信して、次の２個目のＣＢＭＡＰパケットをダウンロードする。以下同様のシーケンスでＣＢＭＡＰパケットが送信される。
【００４３】
次に、図１７に示すように、放送センター（ＣＢＣ）２０がダウンロードした１個目のＣＢＭＡＰパケットに対しての交換機（ＭＳＣ）１３からの確認パッケージの返信がタイムアウトした場合には、アラームを出して放送センター（ＣＢＣ）２０は同じ１個目のＣＢＭＡＰパケットを再送する。そして、タイムアウト時間内に確認パッケージを受信したとき、次の２個目のＣＢＭＡＰパケットをダウンロードする。なお、再送処理が継続する場合等には、オペレータにより再送処理の中断が行われる。なお、ＣＢＭＡＰプロトコルは、ＣＰＭＡＰパケットのエラーをチェックする機能を持たないため、交換機（ＭＳＣ）１３は、放送センター（ＣＢＣ）２０に対して確認パッケージを送信し、エラー情報を返送しない。したがって、放送センター（ＣＢＣ）２０からダウンロードしたＣＰＭＡＰパケットに問題があった場合には、このＣＰＭＡＰパケットは放送センター（ＣＢＣ）２０にエラー通知を行わないで交換機（ＭＳＣ）１３側にて無条件に破棄するようになっている。
【００４４】
次に、移動機（ＭＳ）１１の放送チャネルの受信動作を中心に説明する。まず、ＢＰＣＨを受信可能にするには、移動機（ＭＳ）１１において放送サービス（ＣＢＳ）機能をオンすることによって行われ、この機能がオフになっている間は通常の一斉呼出チャネル（ＰＣＨ）を間欠受信する状態にある。ユーザは、移動機（ＭＳ）１１のキー入力部４３の操作等により放送サービス機能をオンすることが可能でその後、ＢＰＣＨ受信タイミング、受信のために設定された放送チャネルあるいは更新時間に基づいてＢＰＣＨ受信に入る。
【００４５】
図１８は移動機の代表的な受信動作を説明するフローチャート、図１９は移動機の表示部における表示例を説明する図である。
【００４６】
図１８に示すように、まず、移動機１１の電源をオンしＢＣＣＨを受信し（ＳＴ１）後にＢＰＣＨ受信タイミングにＢＰＣＨ受信を開始し、続いてＢＰＣＨ受信が完了するまで一斉報知チャネル（ＰＣＨ）及びＢＰＣＨ受信を行い（ＳＴ２，３）、ＢＰＣＨ受信が完了したときに、時計部３７や更新処理部４０の処理により予め設定された時間あるいは更新時間までのインターバルタイマを起動させ（ＳＴ４）、ＰＣＨ間欠受信の待ち受け状態になり（ＳＴ５）、タイマタイムアウト（ＳＴ６）により、再びＰＣＨ及びＢＰＣＨ受信動作に戻る。
【００４７】
受信タイミングは、移動機（ＭＳ）１１の時計部３６と更新処理部３７等により行われ、ユーザからの手動操作による受信要求時、予め設定された時間、あるいはコンテンツに設定されている更新情報に基づいて自動的に行うことができるようになっている。ＢＰＣＨ受信タイミングとして、まず、放送サービス（ＣＢＳ）のメインメニュー選択時に、メニューが移動機（ＭＳ）１１側に無い場合には、全てのＢＰＣＨを受信しメッセージ種別等に基づいてメインメニューが作成される。また、ゾーン移行時において、ＢＳＣＣＨのセルグループ番号が記憶している値と異なっていた場合には、全てのＢＰＣＨを受信し、情報の更新を行う。さらに、受信の申し込みをしている放送チャネルの更新情報や更新期間に基づく更新タイミングにより、全てのＢＰＣＨを受信し、情報の更新を行う。また、ユーザにより新規放送チャネルの申し込みが行われた場合には、全てのＢＰＣＨを受信し、情報の更新を行う。さらに、ユーザからの更新要求により、全てのＢＰＣＨを受信し、情報の更新を行う。
【００４８】
以上のようにして移動機（ＭＳ）１１において受信した所定の放送チャネルのコンテンツは、後に説明するメッセージ管理部４２の管理に基づいて放送メッセージメモリ３９に格納され、キー入力部４５の表示操作により表示制御部４３の制御により表示部４４に表示される。この表示部４４における表示は、例えば、スクリーンセーバー表示のように、一定の間隔で切り替えて表示される。図１９に示すように、例えば、最初に現在の時刻表示が表示され、３秒後にチャネル２の最初の「ＣＨ２：ＪフォンニュースＳｋｙＮｅｔサービスでは、天気予報，ニュース速報，スポーツフラッ」が表示され、続いて３秒後に「シュをお届けしています。ご利用下さい。」が表示され、次に現在の時刻表示が表示された後にチャネル７の最初の「ＣＨ７：スポーツフラッシュ西武の松坂ダイエーに完封。ダイエー打線から奪８三振の」が表示され、続いて３秒後に「好投。開幕後好調な滑り出し。」が表示され、再び３秒後に現在の時刻表示が行われ、以下繰り返して表示される。
【００４９】
図２０は放送サービス受信メニューの表示動作例を説明する図である。
【００５０】
同図に示すように、まず、最初に表示されるメニューの９．ＣＢＳを選択すると、１．メインメニュー、２．ＣＢＳ設定の選択画面が表示される。１．メインメニューを選択すると、１．J-Phone ニュース、２．天気、３．ナンバーズ、４．スポーツ等の選択画面が表示される。ここで、メインメニューが無い場合またはメインメニューが変更されている場合には、全てのＢＰＣＨを受信しメッセージ種別等によりメニューを作成する。次に、メインメニューの選択画面で４．スポーツを選択すると、各メッセージ種別に対応するタイトルとして、例えば、１．野球、２．J-リーグ、３．相撲、４．総合等の選択画面が表示される。この選択画面で２．J-リーグを選択すると、例えば、J-リーグ速報、更新日、更新時間、次回更新、無料情報等の選択されたコンテンツの詳細情報が表示される。このコンテンツを選択（決定）すると、マイメニュー登録画面として、マイメニューに登録しますか？と１：YES、２： NOの選択画面が表示され、YES を選択した場合には、マイメニューに登録し、コンテンツの内容を表示する。以降、次回更新時に合わせて自動的に更新される。NOを選択した場合には、マイメニューには登録せず、保存されているコンテンツを表示し、更新時間による更新は行わない。
【００５１】
次に、移動機（ＭＳ）１１のフレーム組立部３８における、ＢＰＣＨ受信のフレーム組立について説明する。図２１は本発明実施形態のハーフレート構成のフレーム組立を説明する図である。
【００５２】
ＢＰＣＨは、再送機能を持たないフレームで転送され、移動機（ＭＳ）１１は、１スーパーフレーム内で１放送チャネルに相当するＢＩＣＨをフルレート構成の場合に４回、ハーフレート構成の場合に２回繰り返して受信している。そして、その受信フレームにサイクリックチェック（ＣＲＣ）エラーが生じた場合には、フレーム組立部３８において、そのフレームを破棄し、正常に受信したフレームのみを組み立てる。図２１に示すように、ハーフレート構成の場合、フレーム組立部３８は、１放送チャネルに相当する最初のＢＩＣＨを構成する第４及び第５フレームにＣＲＣエラーが生じたときには、その第４及び第５フレームのみを破棄し、２番目のＢＩＣＨを構成する正常に受信した第４及び第５フレームに入れ替えて１放送チャネルを組み立てる。これにより、受信メッセージの信頼性を向上することができる。
【００５３】
次に、ＢＩＣＨ受信において、連結情報を使用して複数の放送チャネルを連結処理部４１で連結して１つの放送チャネルにすることができるようになっている。すなわち、移動機（ＭＳ）１１の連結処理部４１は、ＢＳＣＣＨの更新番号／連結情報に基づいて、放送チャネルの連結に関する情報が含まれている場合には、該当する複数の放送チャネルを連結する処理を行う。この連結により、１コンテンツあたりの文字量を多くすることができる。
【００５４】
次に、ゾーン移行があった場合について説明する。移動機（ＭＳ）１１は、放送サービスを受信しているときには、図４または図５に示すように、通常の待ち受け状態と同様に、空きスロットを使用して周辺ゾーンのレベル検出を行いゾーン移行が可能である。ＢＩＣＨ受信中にゾーン移行した場合には、ゾーン移行先においても同じチャネル番号のＢＩＣＨを受信する。このとき、ＢＳＣＣＨを参照し受信中コンテンツの情報番号と更新番号が同じであれば受信を継続するが、異なっていた場合にはそのメッセージを破棄する。
【００５５】
次に、移動機（ＭＳ）１１において緊急情報受信の動作について説明する。図２２は緊急情報受信の動作を説明するフローチャートである。
【００５６】
まず、緊急性の高い情報は、放送センター（ＣＢＣ）２０において、第０または第１放送チャネルのＣＢＭＡＰパケットとして編成して交換機（ＭＳＣ）１３へダウンロードされ、交換機（ＭＳＣ）１３ではこの緊急情報を含むコンテンツを第０または第１の緊急放送チャネルとしてＢＰＣＨに配置し、この緊急放送チャネルをＣＢＣハイパーフレームに複数回（４回）含めるよう構成し、かつ一斉呼出チャネル（ＰＣＨ）のＢＣＣＨ受信区間長を変更することで移動機（ＭＳ）１１において緊急放送チャネルのＢＰＣＨを強制的に受信させる。すなわち、図２２に示すように、移動機（ＭＳ）１１が待受け状態においてＰＣＨの間欠受信を行い（ＳＴ１１）、その受信したＰＣＨのＢＣＣＨ受信区間長変更があったとき（ＳＴ１２）、移動機（ＭＳ）１１は、ＢＣＣＨを受信する（ＳＴ１３）。このＢＣＣＨにおいて緊急情報があるときには、拡張情報の放送チャネル指示要素のＰ２ビットが１に設定されているため、移動機（ＭＳ）１１はそのＰ２ビットが１であることを判断して（ＳＴ１４）、ＢＰＣＨを受信する（ＳＴ１５）。これにより、緊急情報があるときには、移動機（ＭＳ）１１は、直ちにＢＰＣＨ受信に入ることができ、かつ緊急情報を含む第０または第１放送チャネルが、放送されている全放送チャネルを構成するＣＢＣスーパーフレーム中に複数回含めるように配置されているため、緊急情報が放送されてから短時間に受信することが可能になる。
【００５７】
以上説明したように上記構成によれば、放送センター（ＣＢＣ）２０が外部または内部に配置された情報サービス提供元から複数のコンテンツを取得し、そのコンテンツの権限、項目の整合性をチェックした後コンテンツデータベース２５に格納し、オンエア期間が経過したときにＣＢＭＡＰ変換部２８でエリアコードとともにダウンロードを処理するプロトコルとして定義されるセル放送マップ用パケットに変換してから所定の交換機（ＭＳＣ）１３へ送信し、交換機（ＭＳＣ）１３では受信したセル放送マップ用パケットを専用に設けた放送用物理チャネルの１スーパーフレーム毎に設定し指定された放送エリアの基地局（ＢＳ）１２を介して送信し、この放送エリアに在圏する移動機（ＭＳ）１１が放送用物理チャネルを受信し、そのコンテンツを表示部４４に表示することで、異なる種類の多数の情報を移動機（ＭＳ）１１の全加入者に対し同時にかつその多数の情報の内のいずれかを選択的に提供することが可能になる。また、この放送情報は、放送センター（ＣＢＣ）２０が取得したコンテンツに放送エリアが指定され、交換機（ＭＳＣ）１３から基地局（ＢＳ）１２を介して放送エリア毎に提供されるため、地域毎に異なった情報提供が容易になる。専用の放送用物理チャネルは、従来の共通制御チャネルに隣接するタイムロットに設定されることで、移動機（ＭＳ）１１においては間欠受信時間を長くするだけで周波数切換えを不要にできる。さらに、放送用物理チャネルは、コンテンツを含む放送情報チャネルと、この放送情報チャネルの構成情報を含む放送サービス制御チャネルとからなる論理チャネルを有し、１スーパーフレームの先頭のフレームに放送サービス制御チャネル、それに続くフレームに放送情報チャネルを繰り返し設定していることで、受信するための放送情報の制御が容易にでき、かつ受信時における誤り訂正により信頼性が向上する。全放送チャネルを複数のスーパーフレームからなる放送用ハイパーフレームの各スーパーフレームに配置し、その放送チャネル中に緊急情報を含む放送チャネルを放送用ハイパーフレームに繰り返し配置し、また、報知チャネルの事業者固有定義領域に放送用物理チャネルを受信するための情報を設定し、この情報に緊急情報の有無を識別する情報を設定することで、地震情報、津波情報、台風情報等の緊急情報を早急に提供できる。
【００５８】
また、移動機（ＭＳ）１１においては、フレーム組立部で１スーパーフレーム中に繰り返し送信されてきた１放送チャネルに相当する放送情報チャネルを受信し、エラーが発生したフレームを破棄し、正常に受信したフレームのみを組立て処理することで、誤り訂正で放送情報の信頼性を向上できる。さらに、連結処理部では、放送サービス制御チャネルに含まれる連結情報に基づいて複数の放送チャネルを連結することで、１コンテンツあたりの文字量を多くすることができる。また、更新処理部は、ユーザの受信操作時、設定した日時、あるいはコンテンツに含まれる更新日時のいずれかによりコンテンツの更新を行うことで、ユーザの希望に応じた更新が可能になる。また、コンテンツにリンク情報を含めることで、このリンクを選択すれば、インターネットブラウジングが可能になる。
【００５９】
なお、上記説明において実施形態のような放送センター（ＣＢＣ）２０を構成した例を説明したが、少なくとも情報サービス提供元から取得したコンテンツをオンエア期間が来たときに１放送チャネルを含むセル放送マップ用パケットに変換して交換機（ＭＳＣ）１３へ送信すればよく、そのコンテンツのチェック、パケットへの変換については任意にでき実施形態に限定されない。また、放送用物理チャネルは、放送情報チャネルと放送サービス制御チャネルとで論理チャネルを構成し、１放送チャネルを１スーパーフレームに配置し、全放送チャネルを６４チャネルにしたが、一例でありその実施形態に限定されない。さらに、移動機（ＭＳ）１１は、その表示部等の構成に応じて任意に表示させることができ、スクリーンセーバによる切換え表示以外に、例えば、スクロール表示等を採用することができる。すなわち、本発明は開示された特定の実施形態に限定されず、特許請求の範囲において規定されるように本発明の精神及び範囲内において変形できることは容易に理解できるであろう。
【産業上の利用可能性】
【００６０】
以上説明したように、本発明では、情報サービス提供元から複数のコンテンツを放送センターが取得し、オンエア期間が来たときに１放送チャネルを含むセル放送用パケットに変換し、そのセル放送用パケットを対応する交換機へ送信し、交換機がそのパケットを専用に設けた放送用物理チャネルの１スーパーフレーム毎に設定して指定された放送エリアの基地局を介して送信し、移動機がその放送用物理チャネルを受信してそのコンテンツを表示部に表示しているため、異なる種類の多数の放送チャネルに情報を設定して放送エリア毎の全加入者に対し同時に選択的に提供でき、かつ緊急情報では早急に提供できる。
【図面の簡単な説明】
【００６１】
【図１】本発明実施形態の放送センターの構成を説明するブロック図である。
【図２】本発明実施形態のネットワークの全体構成を説明するブロック図である。
【図３】本発明実施形態の移動機の構成を説明するブロック図である。
【図４】本発明実施形態のフルレート構成の専用物理チャネルと受信タイミングを説明する図である。
【図５】本発明実施形態のハーフレート構成の専用物理チャネルと受信タイミングを説明する図である。
【図６】本発明実施形態のフルレートのスーパーフレーム構成を説明する図である。
【図７】本発明実施形態のハーフレートのスーパーフレーム構成を説明する図である。
【図８】本発明実施形態の全放送チャネルのＣＢＳハイパーフレーム構成を説明する図である。
【図９】本発明実施形態の報知チャネルの構成を説明する図である。
【図１０】本発明実施形態の報知チャネルの拡張情報の放送チャネル指示要素を説明する図である。
【図１１】本発明実施形態のＢＳＣＣＨのデータフォーマットを示す図である。
【図１２】本発明実施形態のオンエア情報チャネル番号を示す図である。
【図１３】本発明実施形態のＢＩＣＨのデータフォーマットを示す図である。
【図１４】本発明実施形態のＣＢＭＡＰパケットの構成を説明する図である。
【図１５】本発明実施形態のＣＢＭＡＰ確認パッケージの構成を説明する図である。
【図１６】本発明実施形態の放送センターと交換機との間の通常の場合の送受信シーケンスを示す図である。
【図１７】本発明実施形態の放送センターと交換機との間の返信タイムアウトの場合の送受信シーケンスを示す図である。
【図１８】本発明実施形態の移動機の代表的な受信動作を示すフローチャーである。
【図１９】本発明実施形態の移動機の表示部における表示例を説明する図である。
【図２０】本発明実施形態の移動機の放送サービスの表示動作例を説明する図である。
【図２１】本発明実施形態の移動機におけるハーフレート構成の場合のフレーム組立を説明する図である。
【図２２】本発明実施形態の移動機における緊急情報受信の動作を説明するフローチャートである。
【符号の説明】
【００６２】
１０ 文字情報放送システム
１１ 移動機
１２ 基地局
１３ 交換機
１４ ＩＰ／ＳＰ
１５ ローカルＩＰ／ＳＰ
２０ 放送センター
２１ 受信部
２２ コンテンツフィルタ部
２３ ＩＰ／ＳＰプロファイルデータベース
２４ 受信制御部
２５ コンテンツデータベース
２６ スケジュール部
２７ 送信制御部
２８ ＣＢＭＡＰ変換部
２９ セル情報データベース
３０ 送信部
３１ アンテナ
３２ 無線部
３３ 音声変換回路
３４ スピーカ
３５ マイク
３６ メッセージ通信部
３７ 時計部
３８ フレーム組立部
３９ 放送メッセージメモリ
４０ 更新処理部
４１ 連結処理部
４２ メッセージ管理部
４３ 表示制御部
４４ 表示部
４５ キー入力部
４６ ＲＯＭ
４７ ＲＡＭ
４８ 制御部
【図１】
0004437490.tif 000002
【図２】
0004437490.tif 000003
【図３】
0004437490.tif 000004
【図４】
0004437490.tif 000005
【図５】
0004437490.tif 000006
【図６】
0004437490.tif 000007
【図７】
0004437490.tif 000008
【図８】
0004437490.tif 000009
【図９】
0004437490.tif 000010
【図１０】
0004437490.tif 000011
【図１１】
0004437490.tif 000012
【図１２】
0004437490.tif 000013
【図１３】
0004437490.tif 000014
【図１４】
0004437490.tif 000015
【図１５】
0004437490.tif 000016
【図１６】
0004437490.tif 000017
【図１７】
0004437490.tif 000018
【図１８】
0004437490.tif 000019
【図１９】
0004437490.tif 000020
【図２０】
0004437490.tif 000021
【図２１】
0004437490.tif 000022
【図２２】
0004437490.tif 000023